(57)【特許請求の範囲】
【請求項１】
電力を供給する電源部と、発光窓から光を放射するヘッド部とから成る写真撮影等に用いられるストロボにおいて、
前記電源部とヘッド部を分割面Ａにて機構的に分離し、その相互間を着脱自在に構成するとともに着装時には電気的に接続することができるように構成し、
さらに、前記電源部には、バッテリ、マイコン、昇圧回路、インターフェース回路及びセンサーを内蔵するとともに、前記ヘッド部には、コンデンサと、前記発光窓から光を被照射体に放射する機能に必要な、少なくとも放電管、反射鏡、集光レンズ及び発振回路から構成される発光部を内蔵し、
１個の電源部に対して異なる配光機能を有するヘッド部を用意し、必要なヘッド部を電源部に交換して取り付けることにより、異なる配光機能を有するストロボを構成することができるようにしたことを特徴とするヘッド部着脱式ストロボ。
【発明の詳細な説明】
【０００１】
【発明の属する技術分野】
本発明は写真撮影等において撮影部を照射するストロボに関する。
【０００２】
【従来の技術】
従来のストロボは図７に示すように電源部とヘッド部とが一体に構成されており、撮影に必要な各種配光のものがあった。
【０００３】
【発明が解決しようとする課題】
しかるに、配光は撮影条件に応じて変更する必要があるために、撮影者は配光の異なる各種のストロボを取り揃える必要があった。しかしながら前記従来のストロボは電源部とヘッド部とが一体に構成されているために重くて多種類のものを携帯するには不都合であり、しかも電源部が一体に構成されたストロボを多種類揃えるには費用が嵩むという問題があった。
【０００４】
なお、大きなグリップタイプのストロボでは、電源部に対してヘッド部が交換可能に構成されたものが開発されているが、このタイプのものはヘッド部にメインコンデンサが内蔵されていないためにヘッド部だけ交換しても光量まで変更することができないという問題がある。しかもクリップオンタイプでヘッド部の交換が可能なものは存在していなかった。
【０００５】
よって本発明は、前記従来の問題点に鑑みてなされたものであり、電源部とヘッド部とを機構的に切り放して、重い電源部に対して軽くかつ配光及びＧＮ等の異なるヘッド部を着脱自在に構成したヘッド部着脱式ストロボの提供を目的とする。
【０００６】
【課題を解決するための手段】
上記目的を達成するため、本発明のヘッド部着脱式ストロボに係る請求項１は、電力を供給する電源部と、発光窓から光を放射するヘッド部とから成る写真撮影等に用いられるストロボにおいて、前記電源部とヘッド部を分割面Ａにて機構的に分離し、その相互間を着脱自在に構成するとともに着装時には電気的に接続することができるように構成し、さらに、前記電源部には、バッテリ、マイコン、昇圧回路、インターフェース回路及びセンサーを内蔵するとともに、前記ヘッド部には、コンデンサと、前記発光窓から光を被照射体に放射する機能に必要な、少なくとも放電管、反射鏡、集光レンズ及び発振回路から構成される発光部を内蔵し、１個の電源部に対して異なる配光機能を有するヘッド部を用意し、必要なヘッド部を電源部に交換して取り付けることにより、異なる配光機能を有するストロボを構成することができるようにしたことを特徴とする。
【０００７】
請求項１によれば、ストロボの電源部とヘッド部とを機構的に切り放し、かつその相互間を着脱自在に構成したことにより、電源部に対してヘッド部を交換して取り付けることが可能となる。またヘッド部にはコンデンサを備えているので異なる配光機能を発揮しうるヘッド部を用意することができ、これらを選択して電源部に装着することにより電源部１個にて各種配光を発揮するストロボを得ることが可能となる。
【０００８】
【発明の実施の形態】
以下本発明の実施の形態を図面を用いて説明する。
図１から図６は本発明の実施の形態に係り、図１はストロボの斜視図、図２はヘッド部の斜視図、図３は電源部の斜視図、図４は電源部とヘッド部の装着を示す斜視図、図５及び図６は端子形状の例を示す図である。
【０００９】
本実施の形態ではカメラに装着するクリップオンタイプのストロボを例にして説明する。図１に示すように、ストロボ１は電力を供給する電源部２と、発光窓１４から光を放射するヘッド部３とからなり、本発明ではこの電源部２とヘッド部３とを分割面Ａにて機構的に分離し、その相互間を図２及び図３に示すように着脱自在に構成するものである。
【００１０】
また、分離された電源部２側には図示しないバッテリ、マイコン、昇圧回路、インターフェ−ス回路及びセンサが内蔵され、一方、ヘッド部３には図示しないコンデンサが内蔵されている。
【００１１】
また、図２及び図３に示すように、電源部２とヘッド部３との分割面Ａにおける一方の面にはアリ溝４が設けられ、他方の面にはアリ溝４に対応して摺嵌し得る形状の雄アリ５が形成されていて、相互間が着脱自在になっている。なお本実施の形態では電源部２側にアリ溝４が、ヘッド部３側に雄アリ５が設けられた例を示している。
【００１２】
分割面Ａの連結は、図４に示すようにアリ溝４に摺嵌された雄アリ５の後端が上下方向に摺動可能な係止片６にて係止され、抜け止めされる。なお、係止片６は図示しないバネの付勢により常に上方（係止方向）に押圧されていて指先にてバネの付勢に抗して押し下げることによりヘッド部の着脱が可能となり、指を離せば自動的に上昇して係止状態が保たれる構成になっている。
【００１３】
更に、電源部２とヘッド部３とを接続するアリ溝４及び雄アリ５の対向面には、３００Ｖの正極端子７、グランド端子８、発光信号端子（シンクロ信号ポート）９及びセンサーライン端子１０が設けられており、電源部２とヘッド部３とはこれらの端子７，８，９，１０を介して電気的に接続される。
【００１４】
なお本実施の形態では電気的接続のために平板状端子を設けた例を示しているが、平板状端子に限らず、図５に示すように一方の面に平板状端子１１を設け、対向する他方の面に出没自在な棒状端子１２等を設けてもよく、図６に示すように一方の面に平板状端子１１を設け、対向する他方の面に湾曲したバネによる起伏自在な板バネ端子１３等を設けてもよい。
【００１５】
以上述べた構成のストロボ１は、電源部２の１個に対して配光及びＧＮ等、いわゆる配光機能の異なる数種類のヘッド部３を選択して装着するだけで、撮影に必要な配光及びＧＮ等の機能が得られる。
【００１６】
【発明の効果】
本発明によれば、ストロボの電源部とヘッド部とを機構的に切り放してその相互間を着脱自在に構成したことにより、電源部に対してヘッド部を交換して取り付けることが可能となる。
【００１７】
またヘッド部にはコンデンサを備えているので異なる配光機能を有するヘッド部を用意することができ、これらのヘッド部を選択して電源部に装着することにより電源部１個にて異なる配光機能を得ることが可能となる。
【００１８】
従って１個の電源部に対して機能の異なる各種の配光機能を有するヘッド部を取り揃えればよいので購入費用が低減され、しかもヘッド部は軽量であるので多くの種類のものを携帯することが容易になる。
【００１９】
これにより１つの電源部にて各種の配光が得られ、しかも好きな範囲が選択でき、最大光量の選択が可能となるストロボが得られる。
【図面の簡単な説明】
【図１】本発明の実施の形態に係るストロボの斜視図である。
【図２】ヘッド部の斜視図である。
【図３】電源部の斜視図である。
【図４】電源部とヘッド部の装着を示す斜視図である。
【図５】端子形状の例を示す図である。
【図６】端子形状の例を示す図である。
【図７】従来のストロボの説明図である。
【符号の説明】
１  ストロボ
２  電源部
３  ヘッド部
４  アリ溝
５  雄アリ
６  係止片
７  高圧６００正極端子
８  グランド端子
９  発光信号端子
１０センサーライン端子
１１  平板状端子
１２  棒状端子
１３  板バネ端子
１４  発光窓
【図１】
0004005396.tif 000002
【図２】
0004005396.tif 000003
【図３】
0004005396.tif 000004
【図４】
0004005396.tif 000005
【図５】
0004005396.tif 000006
【図６】
0004005396.tif 000007
【図７】
0004005396.tif 000008